(57)【要約】  本願実施例は、同期源の優先度決定方法、機器、及びコンピュータ記憶媒体を開示する。前記方法は、端末が、前記端末の能力情報及び／又はサービスレベル情報に基づいて、第１同期源優先度情報を決定することと、前記端末が、前記第１同期源優先度情報を送信することと、を含む。
2021532637.tif 000002
【特許請求の範囲】
【請求項１】
同期源の優先度決定方法であって、
端末が、前記端末の能力情報及び／又はサービスレベル情報に基づいて、第１同期源優先度情報を決定することと、
前記端末が、前記第１同期源優先度情報を送信することと、を含む、前記同期源の優先度決定方法。
【請求項２】
前記方法は、
前記端末が、第１タイプの情報に基づいて前記端末の能力情報を決定することをさらに含み、前記第１タイプの情報は、クロック精度、位相ロックループの周波数オフセット、バッテリ電力、及び送信電力のうちの少なくとも１つを含む、
請求項１に記載の同期源の優先度決定方法。
【請求項３】
前記端末が、第１タイプの情報に基づいて前記端末の能力情報を決定することは、
前記端末が、前記第１タイプの情報に含まれる情報に対して加重加算処理を実行して、前記端末の能力情報を決定することを含む、
請求項２に記載の同期源の優先度決定方法。
【請求項４】
前記方法は、
前記端末が、第２タイプの情報に基づいてサービスレベル情報を決定することをさらに含み、前記第２タイプの情報は、サービスデータの伝送レート、サービスデータの圧縮符号化方式、サービスデータの緊急性、及びサービスデータの明確さのうちの少なくとも１つを含む、
請求項１に記載の同期源の優先度決定方法。
【請求項５】
前記端末が、第２タイプの情報に基づいてサービスレベル情報を決定することは、
前記端末が、前記第２タイプの情報に含まれる情報に対して加重加算処理を実行して、初期サービスレベルを決定することと、
前記端末が、前記初期サービスレベル及びプリセットされたサービスレベルのうちの最大値に基づいて、サービスレベル情報を決定することと、を含む、
請求項４に記載の同期源の優先度決定方法。
【請求項６】
前記端末が前記第１同期源優先度情報を送信することは、前記端末が、ブロードキャスト、ユニキャスト、又はマルチキャストの方式で、前記第１同期源優先度情報を送信することを含む、
請求項１に記載の同期源の優先度決定方法。
【請求項７】
前記方法は、
前記端末が、前記第１同期源優先度情報に基づいて第１周期を採用して、前記端末自体の第１同期源優先度リストを更新することをさらに含む、
請求項１ないし６のいずれか一項に記載の同期源の優先度決定方法。
【請求項８】
前記端末が前記第１同期源優先度情報を送信することは、
前記端末が、第２周期に基づいて前記第１同期源優先度情報を送信することを含む、
請求項１ないし７のいずれか一項に記載の同期源の優先度決定方法。
【請求項９】
前記第１周期及び前記第２周期は、サービス測定周期に基づいて決定され、
前記第１周期と前記第２周期は、同じ又は異なる周期である、
請求項８に記載の同期源の優先度決定方法。
【請求項１０】
前記方法は、
前記端末が、第１ノード機器の第２同期源優先度情報を受信することをさらに含み、前記第１ノード機器は、前記端末に接続された任意のノード機器である、
請求項１に記載の同期源の優先度決定方法。
【請求項１１】
前記方法は、
前記端末が、前記第１同期源優先度情報及び前記第２同期源優先度情報に基づいて、前記端末自体の第１同期源優先度リストを更新することであって、前記第１同期源優先度リストは、同期源優先度情報に基づいて並べ替えられた複数の同期源を含むことと、
前記端末が、前記第１同期源優先度リストに基づいて、最も優先度の高い同期源を決定することと、さらに含む、
請求項１０に記載の同期源の優先度決定方法。
【請求項１２】
前記方法は、
前記端末が、第１ノード機器の第２同期源優先度リストを受信することをさらに含み、前記第１ノード機器は、前記端末に接続された任意のノード機器である、
請求項１に記載の同期源の優先度決定方法。
【請求項１３】
前記方法は、
前記端末が、前記第２同期源優先度リストに基づいて、前記端末自体の第１同期源優先度リストを更新することをさらに含む、
請求項１２に記載の同期源の優先度決定方法。
【請求項１４】
前記第１同期源優先度リスト内の同期源の順序は、前記同期源の優先度に関連付けられ、
前記同期源の優先度は、前記端末の能力情報及び／又はサービスレベル情報と正相関する、
請求項７、１１又は１３に記載の同期源の優先度決定方法。
【請求項１５】
前記端末が、前記同期源優先度リストに基づいて、最も優先度の高い同期源を決定することは、
前記端末が、第１モードにある場合、前記第１同期源優先度リストの順序に基づいて、最も優先度の高い同期源を決定することをさらに含み、前記端末が前記第１モードにある場合、前記端末とネットワーク機器との間の通信品質は、プリセット要件を満たさない、
請求項１１に記載の同期源の優先度決定方法。
【請求項１６】
前記方法は、
前記端末が、前記第２同期源優先度情報を第２ノード機器に送信することをさらに含み、前記第２ノード機器は、前記端末に接続されたノード機器のうち前記第１ノード機器以外の他のノード機器である、
請求項１０に記載の同期源の優先度決定方法。
【請求項１７】
前記方法は、
前記端末が、前記第１同期源優先度リストを第２ノード機器に送信することをさらに含み、前記第２ノード機器は、前記端末に接続されたノード機器のうち前記第１ノード機器以外の他のノード機器である、
請求項７、１１又は１３に記載の同期源の優先度決定方法。
【請求項１８】
前記端末が、第１ノード機器の第２同期源優先度情報を受信することは、
前記端末が、ユニキャスト、マルチキャスト、又はブロードキャストの方式で第１ノード機器によって送信される第２同期源優先度情報を受信することを含む、
請求項１０に記載の同期源の優先度決定方法。
【請求項１９】
前記端末が、第１ノード機器の第２同期源優先度リストを受信することは、
前記端末が、ユニキャスト、マルチキャスト、又はブロードキャストの方式で第１ノード機器によって送信される第２同期源優先度リストを受信することを含む、
請求項１２又は１３に記載の同期源の優先度決定方法。
【請求項２０】
端末であって、処理ユニットと、通信ユニットとを備え、
前記処理ユニットは、前記端末の能力情報及び／又はサービスレベル情報に基づいて第１同期源優先度情報を決定するように構成され、
前記通信ユニットは、前記処理ユニットによって決定された前記第１同期源優先度情報を送信するように構成される、前記端末。
【請求項２１】
前記処理ユニットは、さらに、第１タイプの情報に基づいて前記端末の能力情報を決定するように構成され、前記第１タイプの情報は、クロック精度、位相ロックループの周波数オフセット、バッテリ電力、及び送信電力のうちの少なくとも１つを含む、
請求項２０に記載の端末。
【請求項２２】
前記処理ユニットは、前記第１タイプの情報に含まれる情報に対して加重加算処理を実行して、前記端末の能力情報を決定するように構成される、
請求項２１に記載の端末。
【請求項２３】
前記処理ユニットは、さらに、第２タイプの情報に基づいてサービスレベル情報を決定するように構成され、前記第２タイプの情報は、サービスデータの伝送レート、サービスデータの圧縮符号化方式、サービスデータの緊急性、及びサービスデータの明確さのうちの少なくとも１つを含む、
請求項２０に記載の端末。
【請求項２４】
前記処理ユニットは、前記第２タイプの情報に含まれる情報に対して加重加算処理を実行して、初期サービスレベルを決定し、前記初期サービスレベル及びプリセットされたサービスレベルのうちの最大値に基づいて、サービスレベル情報を決定するように構成される、
請求項２３に記載の端末。
【請求項２５】
前記通信ユニットは、ブロードキャスト、ユニキャスト、又はマルチキャストの方式で、前記第１同期源優先度情報を送信するように構成される、
請求項２０に記載の端末。
【請求項２６】
前記処理ユニットは、さらに、前記第１同期源優先度情報に基づいて第１周期を採用して、自体の第１同期源優先度リストを更新するように構成される、
請求項２０ないし２５のいずれか一項に記載の端末。
【請求項２７】
前記通信ユニットは、第２周期に基づいて前記第１同期源優先度情報を送信するように構成される、
請求項２０ないし２６のいずれか一項に記載の端末。
【請求項２８】
前記第１周期及び前記第２周期は、サービス測定周期に基づいて決定され、
前記第１周期と前記第２周期は、同じ又は異なる周期である、
請求項２７に記載の端末。
【請求項２９】
前記通信ユニットは、さらに、第１ノード機器の第２同期源優先度情報を受信するように構成され、前記第１ノード機器は、前記端末に接続された任意のノード機器である。
請求項２０に記載の端末。
【請求項３０】
前記処理ユニットは、さらに、前記第１同期源優先度情報及び前記第２同期源優先度情報に基づいて、自体の第１同期源優先度リストを更新するように構成され、前記第１同期源優先度リストは、同期源優先度情報に基づいて並べ替えられた複数の同期源を含み、
前記処理ユニットは、さらに、前記第１同期源優先度リストに基づいて、最も優先度の高い同期源を決定するように構成される、
請求項２９に記載の端末。
【請求項３１】
前記通信ユニットは、さらに、第１ノード機器の第２同期源優先度リストを受信するように構成され、前記第１ノード機器は、前記端末に接続された任意のノード機器である、
請求項２０に記載の端末。
【請求項３２】
前記処理ユニットは、さらに、前記第２同期源優先度リストに基づいて、自体の第１同期源優先度リストを更新するように構成される、
請求項３１に記載の端末。
【請求項３３】
前記第１同期源優先度リスト内の同期源の順序は、前記同期源の優先度に関連付けられ、
前記同期源の優先度は、前記端末の能力情報及び／又はサービスレベル情報と正相関する、
請求項２６、３０又は３２に記載の端末。
【請求項３４】
前記処理ユニットは、前記端末が第１モードにある場合、前記第１同期源優先度リストの順序に基づいて、最も優先度の高い同期源を決定するように構成され、前記端末が前記第１モードにある場合、前記端末とネットワーク機器との間の通信品質は、プリセット要件を満たさない、
請求項３０に記載の端末。
【請求項３５】
前記通信ユニットは、さらに、前記第２同期源優先度情報を第２ノード機器に送信するように構成され、前記第２ノード機器は、前記端末に接続されたノード機器のうち前記第１ノード機器以外の他のノード機器である、
請求項２９に記載の端末。
【請求項３６】
前記通信ユニットは、さらに、前記第１同期源優先度リストを第２ノード機器に送信するように構成され、前記第２ノード機器は、前記端末に接続されたノード機器のうち前記第１ノード機器以外の他のノード機器である、
請求項２６、３０又は３２に記載の端末。
【請求項３７】
前記通信ユニットは、ユニキャスト、マルチキャスト、又はブロードキャストの方式で第１ノード機器によって送信される第２同期源優先度情報を受信するように構成される、
請求項２９に記載の端末。
【請求項３８】
前記通信ユニットは、ユニキャスト、マルチキャスト、又はブロードキャストの方式で第１ノード機器によって送信される第２同期源優先度リストを受信するように構成される、
請求項３１又は３２に記載の端末。
【請求項３９】
端末であって、プロセッサと、メモリとを備え、前記メモリは、コンピュータプログラムを記憶するように構成され、前記プロセッサは、前記メモリに記憶されたコンピュータプログラムを呼び出して実行することにより、請求項１ないし１９のいずれか一項に記載の方法を実行するように構成される、前記端末。
【請求項４０】
チップであって、プロセッサを備え、前記プロセッサは、メモリからコンピュータプログラムを呼び出して実行することにより、請求項１ないし１９のいずれか一項に記載の方法を実現するように構成される、前記チップ。
【請求項４１】
コンピュータプログラムが記憶されたコンピュータ可読記憶媒体であって、前記コンピュータプログラムがプロセッサよって実行される時に、請求項１ないし１９のいずれか一項に記載の方法を実現する、前記コンピュータ可読記憶媒体。
【請求項４２】
コンピュータプログラム製品であって、コンピュータプログラム命令を含み、前記コンピュータプログラム命令は、コンピュータに、請求項１ないし１９のいずれか一項に記載の方法を実行させるように構成される、前記コンピュータプログラム製品。
【請求項４３】
コンピュータに、請求項１ないし１９のいずれか一項に記載の方法を実行させるためのコンピュータプログラム。
【発明の詳細な説明】
【技術分野】
【０００１】
本願は、無線通信技術分野に関し、特に、同期源の優先度決定方法、機器、及びコンピュータ記憶媒体に関するものである。
【背景技術】
【０００２】
車両対モノ（Ｖ２Ｘ：Ｖｅｈｉｃｌｅ−ｔｏ−Ｅｖｅｒｙｔｈｉｎｇ）通信プロトコルでは、異なるノード機器間の同期は、同期源に応じて、（１）全球測位衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）を介した同期、（２）セルラー基地局を介した同期、（３）ユーザ機器（ＵＥ：Ｕｓｅｒ  Ｅｑｕｉｐｍｅｎｔ）を介した同期の３つのタイプの同期がある。
【０００３】
同期源の優先度は、プリセットする方式で決定され、同期源の優先度をプリセットするのは、端末が、基地局信号のカバレッジ内にあるか否かに基づいているが、上記の解決策よって決定された同期源は、最適な同期源ではない。例えば、端末が基地局信号のカバレッジ内にあるが、端末の通信信号の品質が悪い場合、このシナリオで、上記の解決策に応じて最も優先度の高い同期源を決定すると、信号品質の問題によりサービスの中断や遅延が発生する可能性がある。
【発明の概要】
【発明が解決しようとする課題】
【０００４】
本願実施例は、適時かつ効率的に最も優先度の高い同期源を選択して同期することができる、同期源の優先度決定方法、機器、及びコンピュータ記憶媒体を提供することを目的とする。
【課題を解決するための手段】
【０００５】
第１態様によれば、同期源の優先度決定方法を提供し、前記方法は、端末が、前記端末の能力情報及び／又はサービスレベル情報に基づいて、第１同期源優先度情報を決定することと、前記端末が、前記第１同期源優先度情報を送信することとを含む。
【０００６】
第２態様によれば、処理ユニットと、通信ユニットとを備える端末を提供し、ここで、
前記処理ユニットは、前記端末の能力情報及び／又はサービスレベル情報に基づいて第１同期源優先度情報を決定するように構成され、
前記通信ユニットは、前記処理ユニットによって決定された前記第１同期源優先度情報を送信するように構成される。
【０００７】
第３態様によれば、プロセッサと、メモリとを備える端末を提供し、前記メモリは、コンピュータプログラムを記憶するように構成され、前記プロセッサは、前記メモリに記憶されたコンピュータプログラムを呼び出して実行することにより、前記第１態様又はその各実施形態における方法を実行するように構成される。
【０００８】
第４態様によれば、プロセッサを備えるチップを提供し、前記プロセッサは、メモリからコンピュータプログラムを呼び出して実行することにより、前記第１態様又はその各実施形態における方法を実現するように構成される。
【０００９】
第５態様によれば、コンピュータプログラムが記憶されたコンピュータ可読記憶媒体を提供し、前記コンピュータプログラムがプロセッサによって実行される時に、前記第１態様又はその各実施形態における方法を実現する。
【００１０】
第６態様によれば、コンピュータプログラムを含むコンピュータプログラム製品を提供し、前記コンピュータプログラム命令は、コンピュータに、前記第１態様又はその各実施形態における方法を実行させるように構成される。
【００１１】
第７態様によれば、コンピュータに、第１態様又はその各実施形態における方法を実行させるためのコンピュータプログラムを提供する。
【発明の効果】
【００１２】
上記の技術的解決策によれば、端末が、自体の能力情報及び／又はサービスレベル情報に基づいて、同期源優先度情報を決定し、当該同期源優先度情報をノード機器（他の端末、基地局、又は中継機器など）に送信することにより、端末自体の能力情報及び／又はサービスレベル情報に基づくＱｏＳ保障を実現し、端末が適時かつ効率的に最も優先度の高い同期源を選択した同期できようにし、サービスの連続性を保証し、不要なハンドオーバなどの問題による遅延やサービスの中断を低減することができる。
【図面の簡単な説明】
【００１３】
【図１】本願実施例によるシステムアーキテクチャを示す概略図である。
【図２】本願実施例による同期源の優先度決定方法を示す第１の例示的なフローチャートである。
【図３】本願実施例による同期源の優先度決定方法を示す第２の例示的なフローチャートである。
【図４】本願実施例による同期源の優先度決定方法を示す概略図である。
【図５】本願実施例による同期源の優先度決定方法を示す第３の例示的なフローチャートである。
【図６】本願実施例による端末を示す例示的なブロック図である。
【図７】本願実施例による端末のハードウェア構成を示す例示的なブロック図である。
【図８】本願実施例によるチップを示す例示的な構造図である。
【発明を実施するための形態】
【００１４】
以下、本願実施例における添付の図面を参照して、本願実施例における技術的解決策を説明するが、明らかに、説明される実施例は、本願実施例の一部であるが、全部ではない。本願実施例に基づいて、創造的な努力なしに当業者によって得られる他のすべての実施例は、本願の保護範囲に含まれるものとする。
【００１５】
本願実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステムなどの様々な通信システムに適用されることができる。
【００１６】
例示的に、図１は、本願実施例が適用される通信システム１００を示す。前記通信システム１００は、ネットワーク機器１１０を含み得、ネットワーク機器１１０は、端末１２０（又は通信端末、端末機器と呼ばれる）と通信する機器であってもよい。ネットワーク機器１１０は、特定の地理的エリアに通信カバレッジを提供することができ、当該カバレッジエリア内にある端末機器と通信することができる。例示的に、前記ネットワーク機器１１０は、ＧＳＭシステム又はＣＤＭＡシステムの基地局（ＢＴＳ：Ｂａｓｅ  Ｔｒａｎｓｃｅｉｖｅｒ  Ｓｔａｔｉｏｎ）、又はＷＣＤＭＡシステムの基地局（ＮＢ：ＮｏｄｅＢ）、又はＬＴＥシステムの進化型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は、前記ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、又は将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００１７】
前記通信システム１００は、ネットワーク機器１１０のカバレッジエリア内に位置する少なくとも１つの端末機器１２０をさらに含む。ここで使用される「端末機器」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブルを介した接続などの有線回線接続を介した、及び／又は別のデータ接続／ネットワークを介した、及び／又は、セルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）、ＤＶＢ−Ｈネットワークなどのデジタルテレビネットワーク、衛星ネットワーク、ＡＭ−ＦＭ放送送信機などに対する無線インターフェースを介した、及び／又は別の端末の、通信信号を送受信するように設定された装置、及び／又は物事のインターネットシステム（ＩｏＴ：Ｉｎｔｅｒｎｅｔ  ｏｆ  Ｔｈｉｎｇｓ）機器を含むが、これらに限定されない。無線インターフェースを介して通信するように構成された端末は、「無線通信端末」、「無線端末」又は「モバイル端末」と呼ばれることができる。
【００１８】
本願実施例におけるモバイル端末は、例えば、車載ユニット（ＯＢＵ：Ｏｎ  Ｂｏａｒｄ  Ｕｎｉｔ）を介して通信できる車載端末を含むが、これらに限定されない。一例として、ＯＢＵを介して車載端末間で通信することができる。車載端末は、セルラー無線電話とデータ処理、ファックス、及びデータ通信機能を組み合わせたパーソナル通信システム（ＰＣＳ：  Ｐｅｒｓｏｎａｌ  Ｃｏｍｍｕｎｉｃａｔｉｏｎｓ  Ｓｙｓｔｅｍ）端末であってもよい。
【００１９】
例示的に、端末１２０間で装置対装置（Ｄ２Ｄ：Ｄｅｖｉｃｅ  ｔｏ  Ｄｅｖｉｃｅ）通信を実行してもよい。
【００２０】
例示的に、５Ｇシステム又は５Ｇネットワークは、ニューラジオ（ＮＲ：Ｎｅｗ  Ｒａｄｉｏ）システム又はＮＲネットワークと呼ばれてもよい。
【００２１】
図１は、１つのネットワーク機器及び２つの端末を例示的に示す。例示的に、前記通信システム１００は、複数のネットワーク機器を含んでもよく、かつ各ネットワーク機器のカバレッジエリアは、他の数の端末を含んでもよいが、本願実施例はこれを限定するものではない。
【００２２】
例示的に、前記通信システム１００は、ネットワークコントローラ、モバイル管理エンティティなどの他のネットワークエンティティをさらに含んでもよいが、本願実施例はこれを限定するものではない。
【００２３】
本願実施例では、ネットワーク／システムにおける通信機能を備えた機器は、通信機器と呼ばれてもよいことを理解されたい。図１に示される通信システム１００を例にとると、通信機器は、通信機能を備えたネットワーク機器１１０及び端末１２０を含むことができ、ネットワーク機器１１０及び端末１２０は、上記の特定の機器であってもよく、ここでは繰り返して説明しない。通信機器は、ネットワークコントローラ、モバイル管理エンティティなどの他のネットワークエンティティなど、通信システム１００における他の機器をさらに含んでもよいが、本願実施例はこれを限定するものではない。
【００２４】
本明細書における「システム」及び「ネットワーク」という用語は、本明細書で常に互換可能に使用されることを理解されたい。本明細書における「及び／又は」という用語は、関連するオブジェクトを説明する単なる関連付け関係であり、３つの関係が存在できることを示し、例えば、Ａ及び／又はＢは、Ａが単独で存在する、ＡとＢが同時に存在する、Ｂが単独で存在するという３つのケースを示すことができる。さらに、本明細書における記号「／」は、通常、関連するオブジェクト間の関係が、「又は」という関係にあることを示す。
【００２５】
本願実施例は、同期源の優先度決定方法を提供する。図２は、本願実施例による同期源の優先度決定方法を示す第１の例示的なフローチャートであり、図２に示されるように、前記方法は、以下のステップを含み得る。
【００２６】
ステップ１０１において、端末が、前記端末の能力情報及び／又はサービスレベル情報に基づいて、第１同期源優先度情報を決定する。
【００２７】
ステップ１０２において、前記端末が、前記第１同期源優先度情報を送信する。
【００２８】
本実施例では、前記端末は、第１タイプの情報に基づいて前記端末の能力情報を決定し、前記第１タイプの情報は、クロック精度、位相ロックループの周波数オフセット、バッテリ電力、及び送信電力のうちの少なくとも１つを含む。ここで、前記端末の能力情報は、前記第１タイプの情報と正相関する。クロックの精度が高いほど、位相ロックループの周波数オフセットが大きくなり、バッテリ電力が大きいほど、送信電力が大きくなり、端末の能力情報で表される端末の能力が強くなることが理解できる。
【００２９】
ここで、前記第１タイプの情報は、端末の能力に関連する。この場合、端末は、第１タイプの情報を取得し、第１タイプの情報に基づいて前記端末の能力情報を決定する。
【００３０】
一実施形態では、前記端末が、第１タイプの情報に基づいて前記端末の能力情報を決定することは、前記端末が、前記第１タイプの情報に含まれる情報に対して加重加算処理を実行して、前記端末の能力情報を決定することを含む。
【００３１】
一例として、第１タイプの情報がクロック精度、位相ロックループの周波数オフセット、バッテリ電力、及び送信電力を含む場合、第１タイプの情報の各情報に対して重み値をプリセットする。例えば、クロック精度の重み値をａ１、位相ロックループの周波数オフセットの重み値をｂ１、バッテリ電力の重み値をｃ１、送信電力的重み値をｄ１にプリセットする場合、端末の能力情報（Ｖ−ｃａｐａｃｉｔｙ）は、次の式で表すことができる。
【００３２】
Ｖ−ｃａｐａｃｉｔｙ＝ａ１＊クロック精度＋ｂ１＊位相ロックループの周波数オフセット＋ｃ１＊バッテリ電力＋ｄ１＊送信電力。
【００３３】
本実施例では、前記端末は、第２タイプの情報に基づいてサービスレベル情報を決定し、前記第２タイプの情報は、サービスデータの伝送レート、サービスデータの圧縮符号化方式、サービスデータの緊急性、及びサービスデータの明確さのうちの少なくとも１つを含む。
【００３４】
ここで、第２タイプの情報は、端末の伝送サービスに関連する。この場合、端末は、第２タイプの情報を取得し、第２タイプの情報に基づいて前記サービスレベル情報を決定する。
【００３５】
一実施形態では、前記端末が、第２タイプの情報に基づいてサービスレベル情報を決定することは、前記端末が、前記第２タイプの情報に含まれる情報に対して加重加算処理を実行して、初期サービスレベルを決定することと、前記端末が、前記初期サービスレベル及びプリセットされたサービスレベルのうちの最大値に基づいて、サービスレベル情報を決定することとを含む。
【００３６】
一例として、第２タイプの情報が、サービスデータの伝送レート、サービスデータの圧縮符号化方式、サービスデータの緊急性、及びサービスデータの明確さを含む場合、第２タイプの情報の各情報に対して重み値をプリセットする。例えば、サービスデータの伝送レートの重み値をａ２、サービスデータの圧縮符号化方式の重み値をｂ２、サービスデータの緊急性の重み値をｃ２、サービスデータの明確さの重み値をｄ２にプリセットする場合、初期サービスレベルは、次の式で表すことができる。
【００３７】
初期サービスレベル＝ａ２＊サービスデータの伝送レート＋ｂ２＊サービスデータの圧縮符号化方式＋ｃ２＊サービスデータの緊急性＋ｄ２＊サービスデータの明確さ。
【００３８】
サービスに対応するサービスレベルは、端末で予め取得又はプリセットされており、端末は、取得された初期サービスレベルとプリセットされたサービスレベルを比較して、比較結果の最大値を取得し、前記最大値をサービスレベル情報として使用する。
【００３９】
一例として、サービスレベル情報（Ｖ−ＱｏＳ）は、次の式で表すことができる。
【００４０】
Ｖ−ＱｏＳ＝ｍａｘ｛ａ２＊サービスデータの伝送レート＋ｂ２＊サービスデータの圧縮符号化方式＋ｃ２＊サービスデータの緊急性＋ｄ２＊サービスデータの明確さ、Ｑｏｓレベル｝。
【００４１】
本実施例では、端末は、取得された前記端末の能力情報及び／又はサービスレベル情報に基づいて、第１同期源優先度情報を決定し、第１同期源優先度情報を送信する。ここで、前記第１同期源優先度情報は、前記端末の能力情報及び／又はサービスレベル情報を含む。一実施形態では、前記第１同期源優先度情報は、シグナリングの方式で送信され、シグナリングの特定のビットにより第１同期源優先度情報を示す。例えば、第１同期源優先度情報が端末の能力情報及びサービスレベル情報を含む場合、８ｂｉｔの最初の４ｂｉｔで端末の能力情報を示し、最後の４ｂｉｔでサービスレベル情報を示すことができる。勿論、本願は、上記の例に限定されず、他の同期源優先度情報の搬送方式も本願の保護範囲内に含まれるべきである。
【００４２】
一実施形態では、前記端末が前記第１同期源優先度情報を送信することは、前記端末が、ブロードキャスト、ユニキャスト、又はマルチキャストの方式で、前記第１同期源優先度情報を送信することを含む。
【００４３】
ここで、端末は、第１同期源優先度情報をノード機器に送信し、ノード機器は、他の端末、基地局、又は中継機器のうちの少なくとも１つを含む。第１の実施形態では、端末は、ユニキャスト方式で第１同期源優先度情報をノード機器に送信するか、又はユニキャスト方式で第１同期源優先度情報を少なくとも２つのノード機器に１つずつ送信することができる。第２の実施形態では、端末は、マルチキャスト方式で第１同期源優先度情報を少なくとも２つのノード機器に送信することができる。第３の実施形態では、端末は、ブロードキャストの方式で第１同期源優先度情報を送信することにより、ノード機器が、前記第１同期源優先度情報を受信できるようにする。
【００４４】
一実施形態では、前記方法は、前記端末が、前記第１同期源優先度情報に基づいて第１周期を採用して、前記端末自体の第１同期源優先度リストを更新することをさらに含む。
【００４５】
ここで、端末は、同期源優先度リスト（第１同期源優先度リスト）をプリセットする。一実施形態では、同期源の優先度は、前記第１同期源優先度リストでプリセットされており、例えば、プリセットされた同期源の優先度は、ＧＮＳＳ、ｅＮＢ、及びＵＥ間の優先度の相対関係を含む。別の実施形態では、前記第１同期源優先度リストには、他のノード機器によって送信された同期源優先度情報も含まれることができる。本実施例では、第１同期源優先度情報を取得した後、第１周期に応じて第１同期源優先度リストを更新する。第１同期源優先度情報を取得した後、第１同期源優先度リストの最後の更新からの時間が第１周期に達したか否かを検出し、第１周期に達した場合、取得した第１同期源優先度情報に基づいて第１同期源優先度リストを更新することが理解できる。
【００４６】
一実施形態では、前記端末が前記第１同期源優先度情報を送信することは、前記端末が、第２周期に基づいて前記第１同期源優先度情報を送信することを含む。
【００４７】
本実施例では、前記第１周期及び前記第２周期は、サービス測定周期に基づいて決定され、前記第１周期と前記第２周期は、同じ又は異なる周期である。
【００４８】
一例として、サービス測定周期が｛２０，５０，１００，２００，…，１０００｝ミリ秒（ｍｓ）を満たす場合、一実施形態では、第１周期と第２周期は同じであり、第１周期と第２周期は、現在のサービス測定周期として構成でき、又はサービス測定周期が満たす選択可能な範囲内の任意のサービス測定周期（例えば、サービス測定周期セット内の任意のサービス測定周期）として構成できる。別の実施形態では、第１周期と第２周期は異なり、例示的に、第１周期が第２周期より小さいか、又は第１周期が第２周期より大きい。
【００４９】
本願実施例による技術的解決策を採用することにより、一方では、端末が自体の能力情報及び／又はサービスレベル情報に基づいて、同期源優先度情報を決定し、当該同期源優先度情報をノード機器（他の端末、基地局、又は中継機器など）に送信することにより、端末自体の能力情報及び／又はサービスレベル情報に基づくＱｏＳ保障を実現し、端末が適時かつ効率的に最も優先度の高い同期源を選択した同期できようにし、サービスの連続性を保証し、不要なハンドオーバなどの問題による遅延やサービスの中断を低減することができる。他方では、端末が、周期的かつ動的に同期源優先度リストを維持し、同期源優先度情報を周期的に送信することにより、端末と最適な同期源との間の同期通信の適時性と安定性を向上させる。
【００５０】
本願実施例は、同期源の優先度決定方法をさらに提供する。図３は、本願実施例による同期源の優先度決定方法を示す第２の例示的なフローチャートであり、図３に示されるように、前記方法は、以下のステップを含み得る。
【００５１】
ステップ２０１において、端末が、前記端末の能力情報及び／又はサービスレベル情報に基づいて、第１同期源優先度情報を決定する。
【００５２】
ステップ２０２において、前記端末が、第２周期に基づいて前記第１同期源優先度情報を送信する。
【００５３】
ステップ２０３において、前記端末が、第１ノード機器の第２同期源優先度情報を受信する、ここで、前記第１ノード機器は、前記端末に接続された任意のノード機器である。
【００５４】
本実施例では、ステップ２０１及びステップ２０２は、具体的に、前述した実施例におけるステップ１０１及びステップ１０２の詳細な説明を参照でき、ここでは繰り返して説明しない。
【００５５】
本実施例では、前記端末が、第１ノード機器の第２同期源優先度情報を受信することは、前記端末が、ユニキャスト、マルチキャスト、又はブロードキャストの方式で第１ノード機器によって送信された第２同期源優先度情報を受信することを含む。ここで、第２同期源優先度は、第１ノード機器によって取得された同期源優先度情報である。一例では、第２同期源優先度情報は、第１ノード機器としての端末が、当該端末自体の能力情報及び／又はサービスレベル情報に基づいて決定した同期源優先度情報であってもよい。
【００５６】
ここで、第２同期源優先度情報は、第１ノード機器によって取得された同期源優先度情報であり、第１ノード機器は、他の端末、基地局、又は中継機器のうちの少なくとも１つを含む。第１の実施形態では、第１ノード機器は、ユニキャスト方式で第２同期源優先度情報を送信し、端末は、ユニキャスト方式で第２同期源優先度情報を受信することができる。第２の実施形態では、第１ノード機器は、マルチキャスト方式で第２同期源優先度情報を送信し、端末は、マルチキャスト方式で第２同期源優先度情報を受信することができる。第３の実施形態では、第１ノード機器は、ブロードキャスト方式で第２同期源優先度情報を送信することにより、端末が、前記第２同期源優先度情報を受信できるようにする。
【００５７】
別の実施例では、前記方法は、前記端末が、前記第１同期源優先度情報及び前記第２同期源優先度情報に基づいて、前記端末自体の第１同期源優先度リストを更新することであって、前記第１同期源優先度リストは、同期源優先度情報に基づいて並べ替えられた複数の同期源を含むことと、前記端末が、前記第１同期源優先度リストに基づいて、最も優先度の高い同期源を決定することとをさらに含む。
【００５８】
本実施例では、前記第１同期源優先度リスト内の同期源の順序は、前記同期源の優先度に関連付けられ、ここで、前記同期源の優先度は、前記端末の能力情報及び／又はサービスレベル情報と正相関する。明らかに、第１同期源優先度リストの同期源を優先度の降順に並べ替える場合、端末の能力情報は、端末の能力が強いほど、優先度が高く、順位が高いことを示し、サービスレベル情報は、サービスレベルが高いほど、優先度が高く、順位が高いことを示す。
【００５９】
一実施形態では、前記端末の能力情報及びサービスレベル情報と、第１同期源優先度リストの同期源の順位との相関関係において、サービスレベル情報の相関関係は、端末の能力情報の相関関係より高いことにより、少なくとも端末のサービス需要を保証する。
【００６０】
一例として、図４に示されるように、３つの端末の同期源優先度情報があり、各同期源優先度情報に、端末の能力情報（Ｖ−ｃ：Ｖ−ｃａｐａｃｉｔｙ）及びサービスレベル情報（Ｖ−ＱｏＳ）が含まれる場合、３つの端末間のＶ−ｃａｐａｃｉｔｙ及びＶ−ＱｏＳを比較すると、次の結果を取得できる。
【００６１】
特定の端末のＶ−ｃａｐａｃｉｔｙ及びＶ−ＱｏＳの両方が他の端末により高い場合、図４の第１象限に示されるように、当該端末に対応する同期源の優先度は高く、特定の端末のＶ−ＱｏＳが他の端末により高いが、Ｖ−ｃａｐａｃｉｔｙが他の端末により低い場合、当該端末に対応する同期源の優先度は２番目に高く、特定の端末のＶ−ＱｏＳが他の端末により低いが、Ｖ−ｃａｐａｃｉｔｙが他の端末により高い場合、当該端末に対応する同期源の優先度は２番目に低く、特定の端末のＶ−ｃａｐａｃｉｔｙ及びＶ−ＱｏＳの両方が他の端末により低い場合、当該端末に対応する同期源の優先度は低い。
【００６２】
特定の端末のＶ−ｃａｐａｃｉｔｙ及び／又はＶ−ＱｏＳが高い場合、当該端末に対応する同期源の優先度が高いことが理解できる。
【００６３】
一実施例では、前記端末が、前記同期源優先度リストに基づいて、最も優先度の高い同期源を決定することは、前記端末が、第１モードにある場合、前記第１同期源優先度リストの順序に基づいて、最も優先度の高い同期源を決定することを含み、ここで、前記端末が前記第１モードにある場合、前記端末とネットワーク機器との間の通信品質は、プリセット要件を満たさない。
【００６４】
本実施例では、端末は、第１モードにある場合、独立して伝送リソースを選択できる。第１モードは伝送モードであり、端末が第１モードにある場合、前記端末とネットワーク機器との間の通信品質は、プリセット要件を満たさないことが理解できる。一例として、端末は、第１モードにある場合、ネットワーク機器からの通信信号を受信できない。例えば、端末は、基地局からの信号を受信できないシナリオ、即ち、端末がカバレッジ外（ＯＯＣ：Ｏｕｔ  Ｏｆ  Ｃｏｖｅｒａｇｅ）の端末であるシナリオにある。別の例として、端末は、第１モードにある場合、ネットワーク機器からの通信信号を受信できるが、通信信号の品質がよくないため、通信需要を満たさない。ここで、前記ネットワーク機器は、基地局などのアクセスネットワークのネットワーク機器、又は衛星ネットワーク機器であり得る。
【００６５】
一実施例では、前記方法は、前記端末が、第２モードにある場合、プリセットされた同期源の優先度に基づいて同期源を決定することをさらに含み、ここで、前記端末が前記第２モードにある場合、前記端末とネットワーク機器との間の通信品質は、プリセット要件を満たす。
【００６６】
ここで、第１モードと同様に、第２モードは伝送モードであり、前記端末が前記第２モードにある場合、前記端末とネットワーク機器との間の通信品質は、プリセット要件を満たし、例えば、端末がカバレッジ内（ＩＣ：Ｉｎ  Ｃｏｖｅｒａｇｅ）の端末であるシナリオにあり、かつ通信品質が良い。一例として、端末は、第１モードにある場合、ネットワーク機器からの通信信号を受信でき、かつ通信信号の品質が良いため、通信需要を満たすことができる。ここで、前記ネットワーク機器は、基地局などのアクセスネットワークのネットワーク機器である。
【００６７】
本実施例では、端末は、第２モードにある場合、プリセットされた同期源の優先度に基づいて同期源を決定する。例えば、プリセットされた同期源ＧＮＳＳ及び同期源ｅＮＢ（進化型基地局）の優先度が同期源ＵＥの優先度より高く（｛ＧＮＳＳ，ｅＮＢ｝＞ＵＥとして記載できる）、ここで、同期源ＧＮＳＳ又はｅＮＢの優先度は設定可能であり、この場合、プリセットされた優先度の比較結果に基づいて最も優先度の高い同期源を決定する。
【００６８】
一実施例では、前記方法は、前記端末が、決定された前記最も優先度の高い同期源を送信することをさらに含む。
【００６９】
本実施例では、端末は、指示情報を介して、決定された最も優先度の高い同期源をノード機器に送信する。一実施形態では、前記指示情報は、プリセットされたビット数を含み得、異なるビットにより異なるタイプの同期源を示す。例えば、指示情報は４つのビットを含み、４つのビットの最初のビットは、同期源が基地局であることを示すことができ、前記最初のビットが「１」であることは、決定された最も優先度の高い同期源が基地局であることを示すことができ、最初のビットが「０」であることは、基地局が最も優先度の高い同期源ではないことを示すことができ、最初のビットを除く他の３つのビットは、端末を示すことができる。
【００７０】
ここで、前記端末は、ユニキャスト、マルチキャスト、又はブロードキャストの方式で、前記最も優先度の高い同期源を送信できる。
【００７１】
一実施例では、前記方法は、前記端末が、前記第２同期源優先度情報を第２ノード機器に送信することをさらに含み、前記第２ノード機器は、前記端末に接続されたノード機器のうち前記第１ノード機器以外の他のノード機器である。
【００７２】
ここで、前記端末は、ブロードキャスト、ユニキャスト、又はマルチキャストの方式で、前記第２同期源優先度情報を第２ノード機器に送信し、前記第２ノード機器は、端末に接続された他の端末、又は基地局、中継機器などのノード機器であり得る。
【００７３】
本実施例では、端末、第１ノード機器、及び第２ノード機器は、マルチホップ（ｍｕｌｔｉ−ｈｏｐ）ネットワークを形成でき、端末は、第１ノード機器から取得した第２同期源優先度情報を第２ノード機器に送信することにより、同期源優先度情報を共有する。
【００７４】
ここで、端末は、第３周期を採用して前記第２同期源優先度情報を第２ノード機器に送信でき、又は、端末は、第２同期源優先度情報を取得した後、当該第２同期源優先度情報を第２ノード機器に直接送信することもできる。ここで、前記第３周期は、サービス測定周期に基づいて決定され、第３周期は、第１周期及び／又は第２周期と同じであってもよく、第１周期及び／又は第２周期と異なってもよい。
【００７５】
一実施例では、前記方法は、前記端末が、前記第１同期源優先度リストを第２ノード機器に送信することをさらに含み、前記第２ノード機器は、前記端末に接続されたノード機器のうち前記第１ノード機器以外の他のノード機器である。
【００７６】
ここで、前記端末は、ブロードキャスト、ユニキャスト、又はマルチキャストの方式で、前記第１同期源優先度リストを第２ノード機器に送信し、前記第２ノード機器は、端末に接続された他の端末、又は基地局、中継機器などのノード機器であり得る。
【００７７】
本実施例では、端末、第１ノード機器、及び第２ノード機器は、マルチホップ（ｍｕｌｔｉ−ｈｏｐ）ネットワークを形成でき、端末は、端末自体の第１同期源優先度リストを第２ノード機器に送信することにより、同期源優先度リスト内の同期源優先度情報を共有する。
【００７８】
ここで、端末は、第４周期を採用して前記第１同期源優先度リストを第２ノード機器に送信でき、ここで、前記第４周期は、サービス測定周期に基づいて決定され、第４周期は、第１周期及び／又は第２周期と同じであってもよく、第１周期及び／又は第２周期と異なってもよい。
【００７９】
本願実施例による技術的解決策を採用することにより、一方では、端末が自体の能力情報及び／又はサービスレベル情報に基づいて、同期源優先度情報を決定し、当該同期源優先度情報をノード機器（他の端末、基地局、又は中継機器など）に送信することにより、端末自体の能力情報及び／又はサービスレベル情報に基づくＱｏＳ保障を実現し、端末が適時かつ効率的に最も優先度の高い同期源を選択した同期できようにし、サービスの連続性を保証し、不要なハンドオーバなどの問題による遅延やサービスの中断を低減することができる。他方では、端末が、周期的かつ動的に同期源優先度リストを維持し、同期源優先度情報を周期的に送信することにより、端末と最適な同期源との間の同期通信の適時性と安定性を向上させる。
【００８０】
本願実施例は、同期源の優先度決定方法をさらに提供する。図５は、本願実施例による同期源の優先度決定方法を示す第３の例示的なフローチャートであり、図５に示されるように、前記方法は、以下のステップを含み得る。
【００８１】
ステップ３０１において、端末が、前記端末の能力情報及び／又はサービスレベル情報に基づいて、第１同期源優先度情報を決定する。
【００８２】
ステップ３０２において、前記端末が、第２周期に基づいて前記第１同期源優先度情報を送信する。
【００８３】
ステップ３０３において、前記端末が、第１ノード機器の第２同期源優先度リストを受信する、ここで、前記第１ノード機器は、前記端末に接続された任意のノード機器である。
【００８４】
本実施例では、ステップ３０１及びステップ３０２は、具体的に、前述した実施例におけるステップ１０１及びステップ１０２の詳細な説明を参照でき、ここでは繰り返して説明しない。
【００８５】
本実施例では、前記端末が、第１ノード機器の第２同期源優先度リストを受信することは、前記端末が、ユニキャスト、マルチキャスト、又はブロードキャストの方式で第１ノード機器によって送信される第２同期源優先度リストを受信することを含む。ここで、第２同期源優先度リストは、第１ノード機器に記憶された同期優先度リストであり、第２同期優先度リストは、第１ノード機器としての端末が、端末自体の能力情報及び／又はサービスレベル情報に基づいて決定した同期源優先度情報を含む。
【００８６】
ここで、第１ノード機器は、他の端末、基地局、又は中継機器のうちの少なくとも１つを含む。第１の実施形態では、第１ノード機器は、ユニキャスト方式で第２同期源優先度リストを送信し、端末は、ユニキャスト方式で第２同期源優先度リストを受信することができる。第２の実施形態では、第１ノード機器は、マルチキャスト方式で第２同期源優先度リストを送信し、端末は、マルチキャスト方式で第２同期源優先度リストを受信することができる。第３の実施形態では、第１ノード機器は、ブロードキャスト方式で第２同期源優先度リストを送信することにより、端末が、前記第２同期源優先度リストを受信できるようにする。
【００８７】
別の実施例では、前記方法は、前記端末が、前記第２同期源優先度リストに基づいて、前記端末自体の第１同期源優先度リストを更新することと、前記端末が、前記第１同期源優先度リストに基づいて、最も優先度の高い同期源を決定することとをさらに含む。
【００８８】
ここで、前記第１同期源優先度リスト内の同期源の順序は、前記同期源の優先度に関連付けられ、ここで、前記同期源の優先度は、前記端末の能力情報及び／又はサービスレベル情報と正相関する。第２同期源優先度リスト内の同期源の順序も同様である。明らかに、同期源優先度リスト（第１同期源優先度リスト及び第２同期源優先度リストを含む）の同期源を優先度の降順に並べ替える場合、端末の能力情報は、端末の能力が強いほど、優先度が高く、順位が高いことを示し、サービスレベル情報は、サービスレベルが高いほど、優先度が高く、順位が高いことを示す。
【００８９】
一実施形態では、前記端末の能力情報及びサービスレベル情報と、第１同期源優先度リストの同期源の順位との相関関係において、サービスレベル情報の相関関係は、端末の能力情報の相関関係より高いことにより、少なくとも端末のサービス需要を保証する。
【００９０】
一例として、図４に示されるように、３つの端末の同期源優先度情報があり、各同期源優先度情報に、端末の能力情報（Ｖ−ｃａｐａｃｉｔｙ）及びサービスレベル情報（Ｖ−ＱｏＳ）が含まれる場合、３つの端末間のＶ−ｃａｐａｃｉｔｙとＶ−ＱｏＳを比較すると、次の結果を取得できる。
【００９１】
特定の端末のＶ−ｃａｐａｃｉｔｙ及びＶ−ＱｏＳの両方が他の端末により高い場合、図４の第１象限に示されるように、当該端末に対応する同期源の優先度は高く、特定の端末のＶ−ＱｏＳが他の端末により高いが、Ｖ−ｃａｐａｃｉｔｙが他の端末により低い場合、当該端末に対応する同期源の優先度は２番目に高く、特定の端末のＶ−ＱｏＳが他の端末により低いが、Ｖ−ｃａｐａｃｉｔｙが他の端末により高い場合、当該端末に対応する同期源の優先度は２番目に低く、特定の端末のＶ−ｃａｐａｃｉｔｙ及びＶ−ＱｏＳの両方が他の端末により低い場合、当該端末に対応する同期源の優先度は低い。
【００９２】
特定の端末のＶ−ｃａｐａｃｉｔｙ及び／又はＶ−ＱｏＳが高い場合、当該端末に対応する同期源の優先度が高くなることが理解できる。
【００９３】
一実施例では、前記端末が、前記同期源優先度リストに基づいて、最も優先度の高い同期源を決定することは、前記端末が、第１モードにある場合、前記第１同期源優先度リストの順序に基づいて、最も優先度の高い同期源を決定することを含み、ここで、前記端末が前記第１モードにある場合、前記端末とネットワーク機器との間の通信品質は、プリセット要件を満たさない。
【００９４】
本実施例では、端末は、第１モードにある場合、独立して伝送リソースを選択できる。第１モードは伝送モードであり、端末が第１モードにある場合、前記端末とネットワーク機器との間の通信品質は、プリセット要件を満たさないことが理解できる。一例として、端末は、第１モードにある場合、ネットワーク機器からの通信信号を受信できない。例えば、端末は、基地局からの信号を受信できないシナリオ、即ち、端末がカバレッジ外（ＯＯＣ：Ｏｕｔ  Ｏｆ  Ｃｏｖｅｒａｇｅ）の端末であるシナリオにある。別の例として、端末は、第１モードにある場合、ネットワーク機器からの通信信号を受信できるが、通信信号の品質がよくないため、通信需要を満たさない。ここで、前記ネットワーク機器は、基地局などのアクセスネットワークのネットワーク機器である。
【００９５】
一実施例では、前記方法は、前記端末が、第２モードにある場合、プリセットされた同期源の優先度に基づいて同期源を決定することをさらに含み、ここで、前記端末が前記第２モードにある場合、前記端末とネットワーク機器との間の通信品質は、プリセット要件を満たす。
【００９６】
ここで、第１モードと同様に、第２モードは伝送モードであり、前記端末が前記第２モードにある場合、前記端末とネットワーク機器との間の通信品質は、プリセット要件を満たし、例えば、端末がカバレッジ内（ＩＣ：Ｉｎ  Ｃｏｖｅｒａｇｅ）の端末であるシナリオにあり、かつ通信品質が良い。一例として、端末は、第１モードにある場合、ネットワーク機器からの通信信号を受信でき、かつ通信信号の品質が良いため、通信需要を満たすことができる。ここで、前記ネットワーク機器は、基地局などのアクセスネットワークのネットワーク機器、又は衛星ネットワーク機器であり得る。
【００９７】
本実施例では、端末は、第２モードにある場合、プリセットされた同期源の優先度に基づいて同期源を決定する。例えば、プリセットされた同期源ＧＮＳＳ及び同期源ｅＮＢ（進化型基地局）の優先度が同期源ＵＥの優先度より高く（｛ＧＮＳＳ，  ｅＮＢ｝＞ＵＥとして記載できる）、ここで、同期源ＧＮＳＳ又はｅＮＢの優先度は設定可能であり、この場合、プリセットされた優先度の比較結果に基づいて最も優先度の高い同期源を決定する。
【００９８】
一実施例では、前記方法は、前記端末が、決定された前記最も優先度の高い同期源を送信することをさらに含む。
【００９９】
本実施例では、端末は、指示情報を介して、決定された最も優先度の高い同期源をノード機器に送信する。一実施形態では、前記指示情報は、プリセットされたビット数を含み得、異なるビットにより異なるタイプの同期源を示す。例えば、指示情報は４つのビットを含み、４つのビットの最初のビットは、同期源が基地局であることを示すことができ、前記最初のビットが「１」であることは、決定された最も優先度の高い同期源が基地局であることを示すことができ、最初のビットが「０」であることは、基地局が最も優先度の高い同期源ではないことを示すことができ、最初のビットを除く他の３つのビットは、端末を示すことができる。
【０１００】
ここで、前記端末は、ユニキャスト、マルチキャスト、又はブロードキャストの方式で、前記最も優先度の高い同期源を送信できる。
【０１０１】
一実施例では、前記方法は、前記端末が、前記第１同期源優先度リストを第２ノード機器に送信することをさらに含み、前記第２ノード機器は、前記端末に接続されたノード機器のうち前記第１ノード機器以外の他のノード機器である。
【０１０２】
ここで、前記端末は、ブロードキャスト、ユニキャスト、又はマルチキャストの方式で、前記第１同期源優先度リストを第２ノード機器に送信し、前記第２ノード機器は、端末に接続された他の端末、又は基地局、中継機器などのノード機器であり得る。
【０１０３】
本実施例では、端末、第１ノード機器、及び第２ノード機器は、マルチホップ（ｍｕｌｔｉ−ｈｏｐ）ネットワークを形成でき、端末は、端末自体の第１同期源優先度リストを第２ノード機器に送信することにより、同期源優先度リスト内の同期源優先度情報を共有する。
【０１０４】
ここで、端末は、第４周期を採用して前記第１同期源優先度リストを第２ノード機器に送信でき、ここで、前記第４周期は、サービス測定周期に基づいて決定され、第４周期は、第１周期及び／又は第２周期と同じであってもよく、第１周期及び／又は第２周期と異なってもよい。
【０１０５】
一実施例では、前記方法は、前記端末が、前記第２同期源優先度リストを第２ノード機器に送信することをさらに含み、前記第２ノード機器は、前記端末に接続されたノード機器のうち前記第１ノード機器以外の他のノード機器である。
【０１０６】
ここで、前記端末は、ブロードキャスト、ユニキャスト、又はマルチキャストの方式で、前記第２同期源優先度リストを第２ノード機器に送信し、前記第２ノード機器は、端末に接続された他の端末、又は基地局、中継機器などのノード機器であり得る。
【０１０７】
本願実施例による技術的解決策を採用することにより、一方では、端末が自体の能力情報及び／又はサービスレベル情報に基づいて、同期源優先度情報を決定し、当該同期源優先度情報をノード機器（他の端末、基地局、又は中継機器など）に送信することにより、端末自体の能力情報及び／又はサービスレベル情報に基づくＱｏＳ保障を実現し、端末が適時かつ効率的に最も優先度の高い同期源を選択した同期できようにし、サービスの連続性を保証し、不要なハンドオーバなどの問題による遅延やサービスの中断を低減することができる。他方では、端末が、周期的かつ動的に同期源優先度リストを維持し、同期源優先度情報を周期的に送信することにより、端末と最適な同期源との間の同期通信の適時性と安定性を向上させる。
【０１０８】
本願実施例は、端末をさらに提供する。図６は、本願実施例による端末を示す例示的なブロック図であり、図６に示されるように、前記端末は、処理ユニット４１と、通信ユニット４２とを備え、ここで、
前記処理ユニット４１は、前記端末の能力情報及び／又はサービスレベル情報に基づいて第１同期源優先度情報を決定するように構成され、
前記通信ユニット４２は、前記処理ユニット４１によって決定された前記第１同期源優先度情報を送信するように構成される。
【０１０９】
一実施例では、前記処理ユニット４１は、さらに、第１タイプの情報に基づいて前記端末の能力情報を決定するように構成され、前記第１タイプの情報は、クロック精度、位相ロックループの周波数オフセット、バッテリ電力、及び送信電力のうちの少なくとも１つを含む。
【０１１０】
本実施例では、前記処理ユニット４１は、前記第１タイプの情報に含まれる情報に対して加重加算処理を実行して、前記端末の能力情報を決定するように構成される。
【０１１１】
一実施例では、前記処理ユニット４１は、さらに、第２タイプの情報に基づいてサービスレベル情報を決定するように構成され、前記第２タイプの情報は、サービスデータの伝送レート、サービスデータの圧縮符号化方式、サービスデータの緊急性、及びサービスデータの明確さのうちの少なくとも１つを含む。
【０１１２】
本実施例では、前記処理ユニット４１は、前記第２タイプの情報に含まれる情報に対して加重加算処理を実行して、初期サービスレベルを決定し、前記初期サービスレベル及びプリセットされたサービスレベルのうちの最大値に基づいて、サービスレベル情報を決定するように構成される。
【０１１３】
一実施例では、前記通信ユニット４２は、ブロードキャスト、ユニキャスト、又はマルチキャストの方式で、前記第１同期源優先度情報を送信するように構成される。
【０１１４】
一実施例では、前記処理ユニット４１は、さらに、前記第１同期源優先度情報に基づいて第１周期を採用して、自体の第１同期源優先度リストを更新するように構成される。
【０１１５】
一実施例では、前記通信ユニット４２は、第２周期に基づいて前記第１同期源優先度情報を送信するように構成される。
【０１１６】
本実施例では、前記第１周期及び前記第２周期は、サービス測定周期に基づいて決定され、前記第１周期と前記第２周期は、同じ又は異なる周期である。
【０１１７】
本願実施例は、端末をさらに提供し、図６に示されるように、前記端末は、処理ユニット４１と、通信ユニット４２とを備え、ここで、
前記処理ユニット４１は、前記端末の能力情報及び／又はサービスレベル情報に基づいて第１同期源優先度情報を決定するように構成され、
前記通信ユニット４２は、前記処理ユニット４１によって決定された前記第１同期源優先度情報を送信するように構成され、前記通信ユニット４２は、さらに、第１ノード機器の第２同期源優先度情報を受信するように構成され、ここで、前記第１ノード機器は、前記端末に接続された任意のノード機器である。
【０１１８】
本実施例では、前記通信ユニット４２は、ユニキャスト、マルチキャスト、又はブロードキャストの方式で第１ノード機器によって送信される第２同期源優先度情報を受信するように構成される。
【０１１９】
一実施例では、前記処理ユニット４１は、さらに、前記第１同期源優先度情報及び前記第２同期源優先度情報に基づいて、自体の第１同期源優先度リストを更新するように構成され、前記第１同期源優先度リストは、同期源優先度情報に基づいて並べ替えられた複数の同期源を含み、
前記処理ユニット４１は、さらに、前記第１同期源優先度リストに基づいて、最も優先度の高い同期源を決定するように構成される。
【０１２０】
一実施例では、前記第１同期源優先度リスト内の同期源の順序は、前記同期源の優先度に関連付けられ、ここで、前記同期源の優先度は、前記端末の能力情報及び／又はサービスレベル情報と正相関する。
【０１２１】
一実施形態では、前記処理ユニット４１は、前記端末が第１モードにある場合、前記第１同期源優先度リストの順序に基づいて、最も優先度の高い同期源を決定するように構成され、ここで、前記端末が前記第１モードにある場合、前記端末とネットワーク機器との間の通信品質は、プリセット要件を満たさない。
【０１２２】
別の実施例では、前記処理ユニット４１は、さらに、前記端末が第２モードにある場合、プリセットされた同期源の優先度に基づいて同期源を決定するように構成され、ここで、前記端末が前記第２モードにある場合、前記端末とネットワーク機器との間の通信品質は、プリセット要件を満たす。
【０１２３】
一実施例では、前記通信ユニット４２は、さらに、前記第２同期源優先度情報を第２ノード機器に送信するように構成され、前記第２ノード機器は、前記端末に接続されたノード機器のうち前記第１ノード機器以外の他のノード機器である。
【０１２４】
一実施例では、前記通信ユニット４２は、さらに、前記第１同期源優先度リストを第２ノード機器に送信するように構成され、前記第２ノード機器は、前記端末に接続されたノード機器のうち前記第１ノード機器以外の他のノード機器である。
【０１２５】
本願実施例は、端末をさらに提供し、図６に示されるように、前記端末は、処理ユニット４１と、通信ユニット４２とを備え、ここで、
前記処理ユニット４１は、前記端末の能力情報及び／又はサービスレベル情報に基づいて第１同期源優先度情報を決定するように構成され、
前記通信ユニット４２は、前記処理ユニット４１によって決定された前記第１同期源優先度情報を送信するように構成され、前記通信ユニット４２は、さらに、第１ノード機器の第２同期源優先度リストを受信するように構成され、ここで、前記第１ノード機器は、前記端末に接続された任意のノード機器である。
【０１２６】
本実施例では、前記通信ユニット４２は、ユニキャスト、マルチキャスト、又はブロードキャストの方式で第１ノード機器によって送信される第２同期源優先度リストを受信するように構成される。
【０１２７】
一実施例では、前記処理ユニット４１は、さらに、前記第２同期源優先度リストに基づいて、自体の第１同期源優先度リストを更新するように構成される。
【０１２８】
本実施例では、前記第１同期源優先度リスト内の同期源の順序は、前記同期源の優先度に関連付けられ、ここで、前記同期源の優先度は、前記端末の能力情報及び／又はサービスレベル情報と正相関する。
【０１２９】
一実施形態では、前記処理ユニット４１は、前記端末が第１モードにある場合、前記第１同期源優先度リストの順序に基づいて、最も優先度の高い同期源を決定するように構成され、ここで、前記端末が前記第１モードにある場合、前記端末とネットワーク機器との間の通信品質は、プリセット要件を満たさない。
【０１３０】
別の実施形態では、前記処理ユニット４１は、さらに、前記端末が第２モードにある場合、プリセットされた同期源の優先度に基づいて同期源を決定するように構成され、ここで、前記端末が前記第２モードにある場合、前記端末とネットワーク機器との間の通信品質は、プリセット要件を満たす。
【０１３１】
一実施例では、前記通信ユニット４２は、さらに、前記第１同期源優先度リストを第２ノード機器に送信するように構成され、前記第２ノード機器は、前記端末に接続されたノード機器のうち前記第１ノード機器以外の他のノード機器である。
【０１３２】
一実施例では、前記通信ユニット４２は、さらに、前記第２同期源優先度リストを第２ノード機器に送信するように構成され、前記第２ノード機器は、前記端末に接続されたノード機器のうち前記第１ノード機器以外の他のノード機器である。
【０１３３】
本願実施例では、前記端末の処理ユニット４１は、実際の応用において、前記端末の中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ、Ｄｉｇｉｔａｌ  Ｓｉｇｎａｌ  Ｐｒｏｃｅｓｓｏｒ）、マイクロコントローラ（ＭＣＵ：Ｍｉｃｒｏｃｏｎｔｒｏｌｌｅｒ  Ｕｎｉｔ）、又はフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現でき、前記端末の通信ユニット４２は、実際の応用において、通信アセンブリ（基礎通信キット、オペレーティングシステム、通信モジュール、標準化インターフェース及びプロトコルなどを含む）及びトランシーバアンテナによって実現できる。
【０１３４】
図７は、本願実施例による端末のハードウェア構成を示す例示的な構造図である。図７に示される端末は、プロセッサ６１０を備え、プロセッサ６１０は、メモリからコンピュータプログラムを呼び出して実行することにより、本願実施例における方法を実現することができる。
【０１３５】
例示的に、図７に示されるように、チップ７００は、メモリ６２０をさらに備えてもよい。ここで、プロセッサ６１０は、メモリ６２０からコンピュータプログラムを呼び出して実行することにより、本願実施例における方法を実現することができる。
【０１３６】
ここで、メモリ６２０は、プロセッサ６１０から独立した単一のデバイスであってもよく、プロセッサ６１０に統合されたものであってもよい。
【０１３７】
例示的に、図７に示されるように、端末は、トランシーバ６３０をさらに備えてもよく、プロセッサ６１０は、他の機器と通信するように前記トランシーバ６３０を制御することができ、具体的には、情報又はデータを他の機器に送信するか、又は他の機器によって送信される情報又はデータを受信することができる。
【０１３８】
ここで、トランシーバ６３０は、送信機及び受信器を含み得る。トランシーバ６３０は、アンテナをさらに備えてもよく、アンテナの数は、１つ又は複数であり得る。
【０１３９】
例示的に、前記端末は、具体的には、本願実施例におけるネットワーク機器であってもよく、前記端末は、本願実施例における各方法においてネットワーク機器によって実現される対応するプロセスを実現することができ、簡潔にするために、ここでは繰り返して説明しない。
【０１４０】
例示的に、前記端末は、具体的には、本願実施例におけるモバイル端末／端末機器であってもよく、前記端末は、本願実施例における各方法においてモバイル端末／端末機器によって実現される対応するプロセスを実現することができ、簡潔にするために、ここでは繰り返して説明しない。
【０１４１】
本願実施例は、コンピュータプログラムをさらに提供する。図８は、本願実施例によるチップを示す例示的な構造図である。図８に示されるチップ７００は、プロセッサ７１０を備え、プロセッサ７１０は、メモリからコンピュータプログラムを呼び出して実行することにより、本願実施例における方法を実現することができる。
【０１４２】
例示的に、図８に示されるように、チップ７００は、メモリ７２０をさらに備えてもよい。ここで、プロセッサ７１０は、メモリ７２０からコンピュータプログラムを呼び出して実行することにより、本願実施例における方法を実現することができる。
【０１４３】
ここで、メモリ７２０は、プロセッサ７１０から独立した別個のデバイスであってもよく、プロセッサ７１０に統合されることもできる。
【０１４４】
例示的に、前記チップ７００は、入力インターフェース７３０をさらに備えてもよい。ここで、プロセッサ７１０は、他の機器又はチップと通信するように前記入力インターフェース７３０を制御することができ、具体的には、他の機器又はチップによって送信される情報又はデータを取得することができる。
【０１４５】
例示的に、前記チップ７００は、出力インターフェース７４０をさらに備えてもよい。ここで、プロセッサ７１０は、他の機器又はチップと通信するように前記出力インターフェース７４０を制御することができ、具体的には、情報又はデータを他の機器又はチップに出力することができる。
【０１４６】
例示的に、当該チップは、本願実施例におけるネットワーク機器に適用されてもよく、当該チップは、本願実施例における各方法においてネットワーク機器によって実現される対応するプロセスを実現することができ、簡潔にするために、ここでは繰り返して説明しない。
【０１４７】
例示的に、前記チップは、本願実施例におけるモバイル端末／端末機器に適用されてもよく、前記チップは、本願実施例における各方法においてモバイル端末／端末機器によって実現される対応するプロセスを実現することができ、簡潔にするために、ここでは繰り返して説明しない。
【０１４８】
本願実施例で言及されるチップは、システムレベルのチップ、システムチップ、チップシステム、又はシステムオンチップと呼ばれることもできることを理解されたい。
【０１４９】
本願実施例におけるプロセッサは、信号処理能力を有する集積回路チップであり得ることを理解されたい。実現プロセスにおいて、前述した方法の実施例の各ステップは、プロセッサ内のハードウェアの集積論理回路又はソフトウェアの形の命令によって完了することができる。前記プロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタロジックデバイス、ディスクリートハードウェアコンポーネント等であってもよく、本願実施例で開示された各方法、ステップ及び論理ブロック図を実現又は実行することができる。汎用プロセッサは、マイクロプロセッサであってもよく、又は前記プロセッサは、任意の従来のプロセッサ等であってもよい。本願実施例で開示される方法のステップは、ハードウェア復号化プロセッサによって直接実行されてもよく、復号化プロセッサ内のハードウェアとソフトウェアモジュールの組み合わせによって実行されてもよい。ソフトウェアモジュールは、ランダムアクセスメモリ、フラッシュメモリ、読み取り専用メモリ、プログラム可能な読み取り専用メモリ、又は電気的に消去可能なプログラム可能なメモリ、レジスタ等の従来の記憶媒体に配置されることができる。前記記憶媒体はメモリ内に配置され、プロセッサはメモリ内の情報を読み取り、そのハードウェアと組み合わせて上記の方法のステップを完了する。
【０１５０】
本願実施例におけるメモリは、揮発性メモリ又は不揮発性メモリであってもよく、又は揮発性及び不揮発性メモリの両方を含んでもよいことが理解できる。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）又はフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない例示によれば、多くの形のＲＡＭ、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）、及びダイレクトメモリバスランダムアクセスメモリ（ＤＲ  ＲＡＭ：Ｄｉｒｅｃｔ  Ｒａｍｂｕｓ  ＲＡＭ）などが利用可能である。本明細書で説明されるシステム及び方法のためのメモリは、これら及び他の任意の適切なタイプのメモリを含むが、これらに限定されないことを意図していることを留意されたい。
【０１５１】
前記メモリは、例示的なものであるが、限定的なものではないことを理解されたい。例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）、ダイレクトメモリバスランダムアクセスメモリ（ＤＲ  ＲＡＭ：Ｄｉｒｅｃｔ  Ｒａｍｂｕｓ  ＲＡＭ）などであってもよい。すなわち、本願実施例におけるメモリは、これら及び他の任意の適切なタイプのメモリを含むが、これらに限定されないことを意図している。
【０１５２】
本願実施例は、コンピュータプログラムが記憶されたコンピュータ可読記憶媒体をさらに提供し、前記コンピュータプログラムは、プロセッサによって実行されることにより、本願実施例における方法を実現するように構成される。
【０１５３】
例示的に、前記コンピュータ可読記憶媒体は、本願実施例における端末に適用されてもよく、前記コンピュータプログラムは、コンピュータに、本願実施例における各方法において端末によって実現される対応するプロセスを実行させるように構成され、簡潔にするために、ここでは繰り返して説明しない。
【０１５４】
本願実施例は、コンピュータプログラム命令を含むコンピュータプログラム製品をさらに提供し、前記コンピュータプログラム命令は、コンピュータに、本願実施例における方法を実行させるように構成される。
【０１５５】
例示的に、前記コンピュータプログラム製品は、本願実施例における端末に適用されてもよく、前記コンピュータプログラム命令は、コンピュータに、本願実施例における各方法において端末によって実現される対応するプロセスを実行させるように構成されてもよく、簡潔にするために、ここでは繰り返して説明しない。
【０１５６】
本願実施例は、コンピュータプログラムをさらに提供し、前記コンピュータプログラムは、コンピュータで実行されることにより、コンピュータに、本願実施例における方法を実行させるように構成される。
【０１５７】
例示的に、前記コンピュータプログラムは、本願実施例における端末に適用されてもよく、前記コンピュータプログラムがコンピュータで実行される時に、コンピュータに、本願実施例における各方法において端末によって実現される対応するプロセスを実行させ、簡潔にするために、ここでは繰り返して説明しない。
【０１５８】
本願実施例は、コンピュータプログラム命令を含むコンピュータプログラム製品をさらに提供し、前記コンピュータプログラム命令は、コンピュータに、本願実施例における方法を実行させるように構成される。
【０１５９】
当業者なら自明であるが、本明細書で開示される実施例と組み合わせて説明された各例示のユニット及びアルゴリズムステップは、電子ハードウェア、又はコンピュータソフトウェアと電子ハードウェアの組み合わせによって実現されてもよい。これらの機能がハードウェアの形で実行されるかソフトウェアの形で実行されるかは、技術的解決策の特定の用途及び設計上の制約条件によって決定される。専門技術者は、各特定の用途に応じて異なる方法を使用して説明された機能を実現してもよいが、このような実現は本願の範囲を超えると見なされるべきではない。
【０１６０】
当業者なら明確に理解できるが、説明の便宜及び簡潔のために、上記に説明されたシステム、装置及びユニットの具体的な作業プロセスは、前述の方法の実施例における対応するプロセスを参照することができ、ここでは繰り返して説明しない。
【０１６１】
本願で提供されるいくつかの実施例では、開示されたシステム、装置及び方法は、他の方式で実現できることを理解されたい。例えば、上記で説明された装置の実施例は例示的なものに過ぎず、例えば、前記ユニットの分離は、論理機能の分離に過ぎず、実際の実現時には別の分離方法があり、例えば、複数のユニット又はコンポーネントを別のシステムに統合又は集積したり、又は一部の特徴を無視したり、又は実行しないことができる。なお、表示又は議論された相互結合又は直接結合又は通信接続は、いくつかのインターフェースを使用して実現することができ、装置又はユニット間の間接的な結合又は通信接続は、電気的、機械的、又は他の形態で実現することができる。
【０１６２】
前記別個のコンポーネントとして説明されたユニットは、物理的に分離されていてもされなくてもよく、ユニットとして表示されたコンポーネントは、物理的ユニットでであってもなくてもよい。すなわち、１箇所に配置されてもよく、複数のネットワークユニットに分散されてもよい。実際の需要に応じて、その中のユニットの一部又は全部を選択して本実施例における技術的解決策の目的を達成することができる。
【０１６３】
さらに、本願の各実施例における各機能ユニットは１つの処理ユニットに統合されてもよく、又は各ユニットが物理的に別々に存在してもよく、又は２つ又は２つ以上のユニットが１つのユニットに統合されてもよい。
【０１６４】
前記機能ユニットがソフトウェア機能ユニットの形で実現され、かつ独立した製品として販売又は使用される場合、コンピュータ可読記憶媒体に記憶されることができる。このような理解に基づいて、本願の技術的解決策の本質的な部分、すなわち、先行技術に貢献のある部分、又は前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、又はネットワーク機器等であり得る）に本願の各実施例に記載の方法の全部又は一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなど、プログラムコードを記憶できる様々な媒体を含む。
【０１６５】
上記の内容は、本願の具体的な実施形態に過ぎず、本願の保護範囲はこれに限定されない。当業者は、本願で開示された技術的範囲内で容易に想到し得る変更又は置換は、すべて本願の保護範囲内に含まれるべきである。したがって、本願の保護範囲は、特許請求の範囲の保護範囲に従うものとする。
【図１】
2021532637.tif 000003
【図２】
2021532637.tif 000004
【図３】
2021532637.tif 000005
【図４】
2021532637.tif 000006
【図５】
2021532637.tif 000007
【図６】
2021532637.tif 000008
【図７】
2021532637.tif 000009
【図８】
2021532637.tif 000010
【国際調査報告】
2021532637.tif 000011
2021532637.tif 000012
2021532637.tif 000013
2021532637.tif 000014